(57)【要約】      （修正有）【課題】簡便な装置構造を維持し、製品価格の上昇を招くことなく、施術具の操作感を実際の手術に近づけるとともに、施術具の挿入性を向上させる施術訓練装置を提供する。【解決手段】施術訓練装置１の装置本体１０に疑似施術穴１５を形成し、疑似施術穴に保持具２０を装着する。保持具の弾性保持膜に保持穴を形成し、疑似トロッカー３０の案内筒部３１の内端部を、保持穴を押し広げるように貫通させて、装置本体の疑似体腔１９内に挿し入れる。案内筒部３１の外端部に受口部３２を設け、受口部を、外端へ向かってテーパ状に拡開させる。【選択図】図１
0003210315.tif 000002
【実用新案登録請求の範囲】
【請求項１】
施術具の操作を訓練するための施術訓練装置であって、
疑似体腔を画成するとともに、前記疑似体腔と連なる疑似施術穴が形成された訓練装置本体と、
保持穴が形成された弾性保持膜を有して、前記疑似施術穴に装着される保持具と、
前記保持具に支持される疑似トロッカーと、
を備え、前記疑似トロッカーが、前記保持穴を押し広げるように貫通して内端部が前記疑似体腔内に配置される案内筒部と、前記案内筒部の外端部に設けられた受口部とを含み、
前記受口部が、外端へ向かってテーパ状に拡開されていることを特徴とする施術訓練装置。
【請求項２】
前記受口部の外端縁にリムが一体形成されていることを特徴とする請求項１に記載の施術訓練装置。
【請求項３】
前記案内筒部の内端部の縁部が、前記案内筒部の軸線と直交する面に対して斜めになっていることを特徴とする請求項１又は２に記載の施術訓練装置。
【請求項４】
請求項１〜３の何れか１項に記載の疑似トロッカー。
【考案の詳細な説明】
【技術分野】
【０００１】
本考案は、例えば医師（研修医を含む）や医学生等の訓練者が内視鏡や鉗子等の施術具の操作を練習したり、教授者が訓練者に対し前記操作を実演したりするのに用いられる施術訓練装置、及びトロッカーに模した疑似トロッカーに関する。
【背景技術】
【０００２】
内視鏡や鉗子等の施術具の操作には訓練が必要である。
例えば、特許文献１の施術訓練装置は、上板と一対の側板を含む訓練装置本体によって人体の腹部を模している。上板の左右両端部に側板がヒンジを介して回転可能に連結されている。側板の回転によって、訓練装置本体が展開、折り畳み可能になっている。側板を上板に対して直交させて、訓練装置本体を展開状態にすることによって、訓練装置本体の内側に疑似体腔が画成される。疑似体腔内に人体の臓器等を模した疑似組織が配置される。上板には、疑似施術穴が形成されている。鉗子等の施術具を、疑似施術穴に通して疑似体腔に挿し入れ、訓練を行なう。
【０００３】
実際の腹腔鏡下手術等においては、例えば内針を付けたトロッカーを患者の腹部に刺して、施術穴を開けた後、トロッカーを施術穴に留置したまま、内針を引き抜く。その後、トロッカーを案内管として、鉗子等の施術具をトロッカーひいては施術穴に挿し入れる（特許文献２等参照）。
【先行技術文献】
【特許文献】
【０００４】
【特許文献１】特開２０１６−００４０７９号公報
【特許文献２】特開２０１５−２０８５４９号公報（［０００２］）
【考案の概要】
【考案が解決しようとする課題】
【０００５】
前掲特許文献１の施術訓練装置においては、鉗子等の施術具を疑似施術穴に通した状態で、訓練装置本体に対して施術具が自由に動く範囲が大きい。このため、施術具が不安定で手ぶれしやすく、実際の手術と操作感が異なる。そこで、前記疑似施術穴に本物のトロッカーを装着することも考えられるが、そうすると、製品価格が大きく上昇してしまう。
本考案は、かかる事情に鑑み、施術訓練装置において、簡便な装置構造を維持して、製品価格の上昇を招くことなく、施術具の操作感を実際の手術に近づけるとともに、施術具の挿入性を向上することを目的とする。
【課題を解決するための手段】
【０００６】
本考案は、施術具の操作を訓練するための施術訓練装置であって、
疑似体腔を画成するとともに、前記疑似体腔と連なる疑似施術穴が形成された訓練装置本体と、
保持穴が形成された弾性保持膜を有して、前記疑似施術穴に装着される保持具と、
前記保持具に支持される疑似トロッカーと、
を備え、前記疑似トロッカーが、前記保持穴を押し広げるように貫通して内端部が前記疑似体腔内に配置される案内筒部と、前記案内筒部の外端部に設けられた受口部とを含み、
前記受口部が、外端へ向かってテーパ状に拡開されていることを特徴とする。
また、本考案は、前記訓練装置本体用の疑似トロッカーを特徴とする。
【０００７】
当該施術訓練装置によれば、疑似トロッカーを、保持具を介して訓練装置本体に支持させる。そして、疑似トロッカーに施術具を挿通して、施術訓練を行なうことができる。疑似トロッカーによって、施術具を動き過ぎないよう、かつ動き難くならないよう、適度に拘束でき、手ぶれを抑えることができる。また、疑似トロッカーを、弾性保持膜を支点として全方向へ傾けることができ、ひいては、施術具を全方向へ傾けることができ、施術具の振り角を十分に確保できる。更に、疑似トロッカーの材質を選択することによって、施術具との間の摩擦抵抗を小さくでき、施術具を操作する際、良好な滑り性を確保できる。これによって、施術具の操作感を実際の手術における操作感に近づけることができ、シミュレーターとしての再現性を向上できる。
疑似トロッカーは、疑似的にトロッカーとして機能する一方、簡便な構造であり、本物のトロッカーよりも大幅に安価にすることができる。したがって、本物のトロッカーを用意するよりも施術訓練装置の製品価格を大幅に低減できる。また、疑似トロッカーは、本物のトロッカーと比べてコンパクトにでき、持ち運び性を確保できる。
しかも、疑似トロッカーの受口部をテーパ状に拡開させることで、施術具を受口部内に容易に挿し入れることができ、更には案内筒部内にスムーズに誘い入れることができる。
【０００８】
前記受口部の外端縁にリムが一体形成されていることが好ましい。
これによって、受口部の割れを防止でき、疑似トロッカーの耐久性を高めることができる。
【０００９】
前記案内筒部の内端部の縁部が、前記案内筒部の軸線と直交する面に対して斜めになっていることが好ましい。
これによって、疑似トロッカーを保持穴に容易に挿通することができる。
【考案の効果】
【００１０】
本考案によれば、施術訓練装置の製品価格の上昇を招くことなく、簡便な装置構造を維持しつつ、施術具の操作感を実際の手術に近づけることができる。しかも、疑似トロッカーの受口部をテーパ状に拡開させることによって、施術具の挿入性を向上させることができる。
【図面の簡単な説明】
【００１１】
【図１】図１（ａ）は、本考案の一実施形態に係る施術訓練装置を、展開・組立状態ひいては使用状態にして、図２のＩ−Ｉ線に沿って正面かつ斜め下側から矢視した図である。図１（ｂ）は、前記施術訓練装置の訓練装置本体を折畳状態にして示す正面図である。
【図２】図２は、前記施術訓練装置の側面図である。
【図３】図３は、前記施術訓練装置を一部分解して示す斜視図である。
【図４】図１（ａ）のＩＶ−ＩＶ線に沿う断面図である。
【図５】図５は、図４のＶ−Ｖ線に沿って断面視した疑似トロッカーを、前記施術訓練装置の保持具と分離して示す断面図である。
【図６】図６は、図４のＶＩ−ＶＩ線に沿う平面断面図である。
【図７】図７（ａ）〜（ｃ）は、前記疑似トロッカーに施術具を挿し入れる様子を順追って示す断面図である。
【図８】図８は、施術時の前記疑似トロッカー及び施術具の状態の一例を示す断面図である。
【図９】図９は、保持具の他の使用形態を示す断面図である。
【考案を実施するための形態】
【００１２】
以下、本考案の一実施形態を図面にしたがって説明する。
図１（ａ）に示すように、施術訓練装置１は、医療用の施術具３の操作を訓練するための装置であり、具体的には、医師（研修医を含む）や医学生等の訓練者が施術具３の操作を練習したり、教授者が訓練者に対し前記操作を実演したりするのに用いられる。施術具３は、主に人体内に挿入されて、手術、治療、診断等に使用されるものであり、図１（ａ）では鉗子である。
なお、施術具３は、鉗子に限られず、持針器、内視鏡（腹腔鏡を含む）、カテーテル、メスなどであってもよい。
【００１３】
図１〜図３に示すように、施術訓練装置１は、訓練装置本体１０と、保持具２０と、疑似トロッカー３０を備えている。訓練装置本体１０の構成は、前掲特許文献１とほぼ同じである。訓練装置本体１０は、展開・折畳可能、かつ分解・組立可能になっている。以下、特に断らない限り、訓練装置本体１０は展開状態かつ組立状態であるものとする。
【００１４】
訓練装置本体１０は、人体の胴部等を模したものであり、上板１１と、左右一対の側板１２と、台板１３を含む。上板１１及び側板１２は、人体の体表を模した疑似体表である。上板１１は、長方形の平板状になっている。側板１２は、上板１１より幅細の平板状になっている。上板１１の左右両端にヒンジ１６を介して側板１２が回転可能に連結されている。上板１１及び側板１２には、例えば腹腔鏡下手術を想定した複数の疑似施術穴１５が形成されている。
【００１５】
上板１１及び側板１２は、好ましくは透明かつ硬質の材質にて構成されている。上板１１及び側板１２の材質として、例えばアクリル樹脂が挙げられるが、これに限られず、ポリプロピレン、ポリエチレン等の他の樹脂であってもよく、ガラス等の樹脂以外の材質であってもよい。
【００１６】
台板１３は、長方形の平板状になっている。台板１３が練習台、机等の上面に水平に置かれる。台板１３の四隅にゴムや樹脂製の支持脚部１４が着脱可能に取り付けられている。支持脚部１４によって側板１２が起立姿勢で支持されている。上板１１が、一対の側板１２間に架け渡されて支持されている。図２に示すように、前後（同図において左右）の支持脚部１４に高低差が付けられることで、上板１１が若干傾斜されている。
【００１７】
図１（ａ）に示すように、展開・組立状態における訓練装置本体１０の内部には、上板１１と一対の側板１２と台板１３とよって、疑似体腔１９が画成されている。台板１３の上面ひいては疑似体腔１９内に人体の臓器を模した疑似組織２が配置されている。疑似施術穴１５が疑似体腔１９に連なっている。
図１（ｂ）に示すように、訓練装置本体１０の折畳・分解状態では、疑似体腔１９は画成されない。
【００１８】
図３に示すように、訓練装置本体１０の疑似施術穴１５には、保持具２０が装着されている。図３においては、図示の都合上、複数の疑似施術穴１５の一部だけに保持具２０が設けられているが、好ましくはすべての疑似施術穴１５に保持具２０が設けられている。
保持具２０の材質は、ゴムや軟質樹脂である。
【００１９】
図３及び図４に示すように、保持具２０は、保持筒２１と、穴縁係止部２２と、弾性保持膜２３を一体に含む。保持筒２１は、円形の短筒状になっている。保持筒２１の外径は、装着対象の疑似施術穴１５の内径より僅かに小さい。保持筒２１の内径は、後述の疑似トロッカー３０の外径より大きい。
【００２０】
保持筒２１の外周部に穴縁係止部２２が一体形成されている。穴縁係止部２２は、環状の大径係止鍔２２ａと、環状の小径係止鍔２２ｂを含む。大径係止鍔２２ａは、保持筒２１の一端部（図４において上端部）から径方向外側へ突出されている。小径係止鍔２２ｂは、保持筒２１の他端部（図４において下端部）から径方向外側へ突出されている。大径係止鍔２２ａの外径が、小径係止鍔２２ｂの外径より大きい。かつ、両係止鍔２２ａ，２２ｂの外径は、装着対象の疑似施術穴１５の内径より大きい。
【００２１】
図５に示すように、大径係止鍔２２ａと小径係止鍔２２ｂとの間に環状の嵌合凹部２２ｃが形成されている。上板１１における疑似施術穴１５の周縁部が嵌合凹部２２ｃに嵌め込まれている。大径係止鍔２２ａが上板１１の外側面（上面）に係止され、小径係止鍔２２ｂが上板１１の内側面（下面）に係止されている。
詳細な図示は省略するが、側板１２の疑似施術穴１５にも、同様にして保持具２０を装着可能である。
【００２２】
図５に示すように、保持筒２１における小径係止鍔２２ｂ側（訓練装置本体１０の内側）の端部の内部に弾性保持膜２３が設けられている。弾性保持膜２３は、円形の薄い膜状に形成され、保持筒２１と比べて容易に弾性変形可能である。弾性保持膜２３によって、保持筒２１における小径係止鍔２２ｂ側の端部の開口が塞がれている。弾性保持膜２３の外周部が、保持筒２１と一体に連なっている。弾性保持膜２３の外表面（図５において下面）は、保持筒２１における小径係止鍔２２ｂ側（図５において下側）の端面、及び小径係止鍔２２ｂの外表面と面一になっている。
【００２３】
図５及び図６に示すように、弾性保持膜２３の中央部には保持穴２３ｃが形成されている。自然状態（疑似トロッカー３０の挿通で拡径されていない状態（図６の二点鎖線））における保持穴２３ｃの内径は、例えば２ｍｍ〜３ｍｍ程度であるが、本考案がこれに限定されるものではない。
【００２４】
図１（ａ）及び図４に示すように、保持具２０によって疑似トロッカー３０が支持されている。
疑似トロッカー３０は、案内筒部３１と、受口部３２を一体に含む。疑似トロッカー３０の材質は、例えばポリエチレン（ＰＥ）、ポリプロピレン（ＰＰ）等の樹脂であるが、樹脂に限られず、金属等であってもよい。
【００２５】
案内筒部３１は、真っ直ぐな円筒状に形成されている。案内筒部３１の軸長ひいては疑似トロッカー３０の軸長は、保持具２０の軸長より十分に大きい。疑似トロッカー３０の軸長は、例えば４０ｍｍ〜１２０ｍｍ程度であるが、本考案がこれに限定されるものではない。
図６に示すように、案内筒部３１の外径は、自然状態における保持穴２３ｃ（図６の二点鎖線）より大径になっている。案内筒部３１の外径は、例えばφ２ｍｍ〜φ２０ｍｍ程度であるが、本考案がこれに限定されるものではない。
【００２６】
図４に示すように、案内筒部３１の内端部（図４において下端部）が、保持穴２３ｃを貫通して、疑似体腔１９内に挿し入れられている。弾性保持膜２３における保持穴２３ｃの周縁部が、拡開されるとともに、疑似体腔１９側（図４において下側）へめくれるように弾性変形されて、案内筒部３１の外周面に密着されている。
【００２７】
図５に示すように、案内筒部３１の内端部（訓練装置本体１０内に挿し入れられる側の端部）は、斜めにカットされている。案内筒部３１の内端の縁部３１ｅが、疑似トロッカー３０の軸線と直交する面に対して斜めになっている。
【００２８】
図５に示すように、案内筒部３１の外端部（図５において上端部）には、受口部３２が設けられている。受口部３２は、外端（図５において上端）へ向かってテーパ状（円錐状）に拡開されている。受口部３２の外端（上端）の口径は、例えばφ３ｍｍ〜φ３０ｍｍ程度であるが、本考案がこれに限定されるものではない。
受口部３２の外端縁にはリム３２ｂが一体に設けられている。リム３２ｂは、受口部３２の外端縁を丸めることで形成されている。
【００２９】
施術訓練装置１は、次のように使用される。
訓練装置本体１０を展開し、かつ組み立てる。台板１３上に疑似組織２を載置する。訓練装置本体１０の疑似施術穴１５には、保持具２０を装着する。
図５に示すように、保持具２０で疑似トロッカー３０を保持させる。詳しくは、疑似トロッカー３０によって保持穴２３ｃを押し広げながら、疑似トロッカー３０を保持穴２３ｃに挿し込む。疑似トロッカー３０の内端部を斜めにカットして、斜縁部３１ｅを形成しておくことによって、保持穴２３ｃへの疑似トロッカー３０の挿し込みを容易に行なうことができる。
【００３０】
次に、図７（ａ）〜（ｃ）に示すように、施術具３を疑似トロッカー３０の受口部３２から案内筒部３１内に通す。受口部３２をテーパ状に拡開させることで、施術具３を受口部３２内に容易に挿し入れることができ、更には案内筒部３１内にスムーズに誘い入れることができる。
【００３１】
図１（ａ）に示すように、施術具３の先端部を疑似トロッカー３０の内端部（下端部）から突出させ、施術訓練を行なう。
疑似トロッカー３０は、疑似施術穴１５より小径で、かつ疑似施術穴１５より軸長が十分に長いため、施術具３を安定させて手ぶれを抑えることができる。つまり、施術具３を、動き過ぎないよう、かつ動き難くならないよう、適度に拘束できる。
図８に示すように、柔軟な弾性保持膜２３によって疑似トロッカー３０の中間部を保持することで、疑似トロッカー３０を、弾性保持膜２３を支点として前後左右の全方向へ傾けることができる。ひいては、施術具３を前後左右の全方向へ傾けることができ、施術具３の振り角を十分に確保できる。
更に、疑似トロッカー３０はＰＥ，ＰＰ等の樹脂製であるため、施術具３との間の摩擦抵抗を比較的小さくでき、施術具３を操作する際、良好な滑り性を確保できる。
これによって、施術具３の操作感を実際の手術における操作感に近づけることができ、シミュレーターとしての再現性を向上できる。
疑似トロッカー３０は、疑似的にトロッカー（施術具案内管）として機能する。一方、疑似トロッカー３０は、構造が簡素であり、本物のトロッカーよりも大幅に安価にすることができる。したがって、本物のトロッカーを用意するよりも施術訓練装置１の製品価格を大幅に低減できる。また、疑似トロッカー３０は、本物のトロッカーと比べてコンパクトであるため、持ち運び性を損なうことがない。
受口部３２の縁にリム３２ｂを形成することによって、受口部３２の割れを防止でき、疑似トロッカー３０の耐久性を高めることができる。
【００３２】
本考案は、前記実施形態に限定されるものではなく、その趣旨の範囲内で種々の改変をなすことができる。
例えば、図９に示すように、保持具２０を軸方向に反転させて使用してもよい。この場合、小径係止鍔２２ｂが上板１１（又は側板１２）の外側面（図９において上面）に係止され、大径係止鍔２２ａが上板１１（又は側板１２）の内側面（図９において下面）に係止される。弾性保持膜２３が訓練装置本体１０の外側に配置される。
保持具２０の形状は適宜改変できる。例えば、係止鍔２２ａ，２２ｂの外径が互いに等しくてもよい。
訓練装置本体１０は、展開・折畳式ないしは組立・分解式でなくてもよい。
【産業上の利用可能性】
【００３３】
本考案は、例えば医師や医学生が腹腔鏡や鉗子等の操作の訓練をするための訓練装置の製造分野に適用することができる。
【符号の説明】
【００３４】
１          施術訓練装置
２          疑似組織
３          施術具
１０        訓練装置本体
１１        上板（疑似体表）
１２        側板（疑似体表）
１３        台板
１４        支持脚部
１５        疑似施術穴
１６        ヒンジ
１９        疑似体腔
２０        保持具
２１        保持筒
２２        穴縁係止部
２２ａ      大径係止鍔
２２ｂ      小径係止鍔
２２ｃ      嵌合凹部
２３        弾性保持膜
２３ｃ      保持穴
３０        疑似トロッカー
３１        案内筒部
３１ｅ      斜縁部
３２        受口部
３２ｂ      リム
【図１】
0003210315.tif 000003
【図２】
0003210315.tif 000004
【図３】
0003210315.tif 000005
【図４】
0003210315.tif 000006
【図５】
0003210315.tif 000007
【図６】
0003210315.tif 000008
【図７】
0003210315.tif 000009
【図８】
0003210315.tif 000010
【図９】
0003210315.tif 000011